(57)【要約】【課題】腰掛部（ベンチ）に座ったり腰掛部から立ち上がったりするとき、および上がり框の段差を通過するときの両方に同一の手すり部（てすり）を利用することができる建物および玄関収納を提供する。【解決手段】玄関ホール２１と、玄関ホール２１と隣接して設けられ床面が玄関ホール２１よりも低い玄関土間２２と、を有する建物において、玄関ホール２１に設けられ内部に物品を収納可能な収納部４と、玄関土間２２に設けられ収納部４と隣接し上面に着座可能な腰掛部５と、玄関ホール２１と玄関土間２２との境界部近傍かつ腰掛部５の近傍に設けられた手すり部６と、を有する。玄関収納３は、玄関ホール２１に設けられ内部に物品を収納可能な収納部４と、玄関土間２２に収納部４と隣接して設けられ上面に着座可能な腰掛部５と、玄関ホール２１と玄関土間２２との境界部近傍かつ腰掛部５の近傍に設けられる手すり部６と、を有する。【選択図】図２
2020153075.tif 000002
【特許請求の範囲】
【請求項１】
玄関ホールと、
前記玄関ホールと隣接して設けられ床面が前記玄関ホールよりも低い玄関土間と、を有する建物において、
前記玄関ホールに設けられ内部に物品を収納可能な収納部と、
前記玄関土間に設けられ前記収納部と隣接し上面に着座可能な腰掛部と、
前記玄関ホールと前記玄関土間との境界部近傍かつ前記腰掛部の近傍に設けられた手すり部と、を有することを特徴とする建物。
【請求項２】
前記腰掛部は、前記収納部に固定され、
前記手すり部は、前記収納部または前記腰掛部に固定されていることを特徴とする請求項１に記載の建物。
【請求項３】
前記玄関ホールおよび前記玄関土間の側方に連続して設けられた壁部を有し、
前記収納部および前記腰掛部は、前記壁部に沿って設けられていることを特徴とする請求項１または２に記載の建物。
【請求項４】
玄関ホールと、前記玄関ホールと隣接して設けられ床面が前記玄関ホールよりも低い玄関土間と、に跨って設置される玄関収納において、
前記玄関ホールに設けられ内部に物品を収納可能な収納部と、
前記玄関土間に前記収納部と隣接して設けられ上面に着座可能な腰掛部と、
前記玄関ホールと前記玄関土間との境界部近傍かつ前記腰掛部の近傍に設けられる手すり部と、を有することを特徴とする玄関収納。
【請求項５】
前記腰掛部は、前記収納部に固定され、
前記手すり部は、前記収納部または前記腰掛部に固定されていることを特徴とする請求項４に記載の玄関収納。
【請求項６】
前記収納部は、下部収納部と、前記下部収納部の上側に設置される上部収納部と、を有し、
前記手すり部は、上下方向に延びる棒状に形成され、前記下部収納部および前記上部収納部に固定され、上端部が前記上部収納部の高さに位置し、下端部が前記下部収納部の高さに位置していることを特徴とする請求項４または５に記載の玄関収納。
【請求項７】
前記下部収納部と前記上部収納部との間には中間部収納空間が形成され、
前記下部収納部、前記上部収納部および前記中間部収納空間の側方には、収納側板が設けられて、
前記収納側板には、前記中間部収納空間と、前記収納側板に対して前記中間部収納空間が配置されている側と反対側とを連通させるとともに前方に開口する切り欠き部が形成され、
前記手すり部は、前記収納側板に対して前記中間部収納空間が配置されている側と反対側に設けられ、前記切り欠き部を介して前記中間部収納空間と隣接していることを特徴とする請求項６に記載の玄関収納。
【請求項８】
前記切り欠き部は、前記収納側板の前端部からの深さ寸法が１５０〜２００ｍｍであることを特徴とする請求項７に記載の玄関収納。
【請求項９】
前記手すり部は、前記収納部の前端部よりも後側に配置されていることを特徴とする請求項４乃至８のいずれか一項に記載の玄関収納。
【請求項１０】
前記腰掛部は、上面に着座可能な着座部と、着座部の下方に設けられ前方に開口する腰掛収納部と、を有し、
前記腰掛収納部は、上下方向の中間部に設けられた棚板を有し、
前記棚板の前端部は、前記着座部の前端部よりも後方に配置されていることを特徴とする請求項４乃至９のいずれか一項に記載の玄関収納。
【発明の詳細な説明】
【技術分野】
【０００１】
本発明は、建物および玄関収納に関する。
【背景技術】
【０００２】
従来、玄関ホールや玄関土間にベンチや手すりが設け、ベンチに座って靴の脱ぎ履きができ、手すりを掴んでベンチに座ったりベンチから立ち上がったりすることができる建物が知られている。
特許文献１には、玄関ホールに設けられた階段の１段目の段板が他の段板より広く、端部が玄関土間の上方まで突出する広段板となっていて、この広段板をベンチとして利用できるとともに、玄関土間に設けられ広段板と隣接する下駄箱（玄関収納）に手すりが設けられた建物が開示されている。
【先行技術文献】
【特許文献】
【０００３】
【特許文献１】特開２０１１−１５７６８４号公報
【発明の概要】
【発明が解決しようとする課題】
【０００４】
玄関ホールが玄関土間よりも高く上がり框が設けられている場合、上がり框の段差を通過するときに、転倒したりよろけたりしないように姿勢を保持するために手すりを掴むことがある。
しかしながら、特許文献１に記載された建物では、手すりが上がり框と離間しているため、上がり框の段差を通過するときに手すりを利用しづらい、またはできないという問題がある。
【０００５】
そこで、本発明は、腰掛部（ベンチ）に座ったり腰掛部から立ち上がったりするとき、および上がり框の段差を通過するときの両方に同一の手すり部（手すり）を利用することができる建物および玄関収納を提供することを目的とする。
【課題を解決するための手段】
【０００６】
上記目的を達成するため、本発明に係る建物は、玄関ホールと、前記玄関ホールと隣接して設けられ床面が前記玄関ホールよりも低い玄関土間と、を有する建物において、前記玄関ホールに設けられ内部に物品を収納可能な収納部と、前記玄関土間に設けられ前記収納部と隣接し上面に着座可能な腰掛部と、前記玄関ホールと前記玄関土間との境界部近傍かつ前記腰掛部の近傍に設けられた手すり部と、を有することを特徴とする。
【０００７】
また、上記目的を達成するため、本発明に係る玄関収納は、玄関ホールと、前記玄関ホールと隣接して設けられ床面が前記玄関ホールよりも低い玄関土間と、に跨って設置される玄関収納において、前記玄関ホールに設けられ内部に物品を収納可能な収納部と、前記玄関土間に前記収納部と隣接して設けられ上面に着座可能な腰掛部と、前記玄関ホールと前記玄関土間との境界部近傍かつ前記腰掛部の近傍に設けられる手すり部と、を有することを特徴とする。
【０００８】
本発明では、玄関ホールに収納部を設置し、玄関土間に腰掛部を設け、玄関ホールと玄関土間との境界部近傍かつ腰掛部の近傍に手すり部が設けられている。このため、腰掛部に座ったり腰掛部から立ち上がったりするとき、および玄関ホールと玄関土間との段差（上がり框の段差）を通過するときの両方に同一の手すり部を利用することができる。
【０００９】
また、本発明に係る建物では、前記腰掛部は、前記収納部に固定され、前記手すり部は、前記収納部または前記腰掛部に固定されていてもよい。
【００１０】
また、本発明に係る玄関収納では、前記腰掛部は、前記収納部に固定され、前記手すり部は、前記収納部または前記腰掛部に固定されていてもよい。
【００１１】
このような構成とすることにより、収納部、腰掛部および手すり部を一体に設けることができる。
腰掛部に作用する荷重を収納部が負担することができるため、腰掛部を簡便な構造とすることができる。
手すり部に作用する荷重を収納部または腰掛部が負担することができるため、手すり部を簡便な構造とすることができる。また、手すり部を建物の壁部や床部に取り付ける場合と比べて、建物の壁部や床部に手すり部を取り付けるための金具や補強を設ける必要がなく、建物の間取りや構造にかかわらず手すり部を設置することができる。
【００１２】
また、本発明に係る建物では、前記玄関ホールおよび前記玄関土間の側方に連続して設けられた壁部を有し、前記収納部および前記腰掛部は、前記壁部に沿って設けられていてもよい。
このような構成とすることにより、玄関ホールおよび玄関土間の空間を圧迫することなく収納部、腰掛部および手すり部を設置することができる。
【００１３】
また、本発明に係る玄関収納では、前記収納部は、下部収納部と、前記下部収納部の上側に設置される上部収納部と、を有し、前記手すり部は、上下方向に延びる棒状に形成され、前記下部収納部および前記上部収納部に固定され、上端部が前記上部収納部の高さに位置し、下端部が前記下部収納部の高さに位置していてもよい。
このような構成とすることにより、手すり部を低い位置から高い位置まで設けることができるため、腰掛部に着座した姿勢でも玄関ホールや玄関土間に起立した姿勢でも手すり部を把持しやすい。
【００１４】
また、本発明に係る玄関収納では、前記下部収納部と前記上部収納部との間には中間部収納空間が形成され、前記下部収納部、前記上部収納部および前記中間部収納空間の側方には、収納側板が設けられて、前記収納側板には、前記中間部収納空間と、前記収納側板に対して前記中間部収納空間が配置されている側と反対側とを連通させるとともに前方に開口する切り欠き部が形成され、前記手すり部は、前記収納側板に対して前記中間部収納空間が配置されている側と反対側に設けられ、前記切り欠き部を介して前記中間部収納空間と隣接していてもよい。
このような構成とすることにより、手すり部を腰掛部側、すなわち玄関土間側から使用することができるとともに、中間部収納空間を介して収納部側、すなわち玄関ホール側からも使用することができる。
また、手すり部を把持する際に、手すり部の中間部収納空間と隣接する部分を把持することで、手すり部を把持する手が収納側板と干渉することを防止することができる。
また、下部収納部の上面に手をついた状態から手すり部を把持する場合、また、手すり部を把持した状態から下部収納部の上面に手をつく場合に、手が収納側板と干渉することを防止することができる。
【００１５】
また、本発明に係る玄関収納では、前記切り欠き部は、前記収納側板の前端部からの深さ寸法が１５０〜２００ｍｍであってもよい。
このような構成とすることにより、下部収納部の上面に手をついた状態から手すり部を把持する場合、また、手すり部を把持した状態から下部収納部の上面に手をつく場合に、手が収納側板と干渉することを防止することができる。
【００１６】
また、本発明に係る玄関収納では、前記手すり部は、前記収納部の前端部よりも後側に配置されていてもよい。
このような構成とすることにより、玄関収納の前側を通過する人が手すり部と干渉することを防止することができる。
【００１７】
また、本発明に係る玄関収納では、前記腰掛部は、上面に着座可能な着座部と、着座部の下方に設けられ前方に開口する腰掛収納部と、を有し、前記腰掛収納部は、上下方向の中間部に設けられた棚板を有し、前記棚板の前端部は、前記着座部の前端部よりも後方に配置されていてもよい。
このような構成とすることにより、着座部の下側における後側部分では棚板の上側と下側とに物品を収納することができ、前側部分では棚板の高さよりも背の高い物品を収納することができる。
また、長靴やロングブーツなど収納する際に、高さが低いつま先側は棚板の下側に入れ、高さのあるかかと側は棚板よりも前側に配置することで、長靴やロングブーツなどの全体を着座部の下側の腰掛収納部に収納することができる。
【発明の効果】
【００１８】
本発明によれば、腰掛部に座ったり腰掛部から立ち上がったりするとき、および玄関ホールと玄関土間との段差（上がり框の段差）を通過するときの両方に同一の手すり部を利用することができる。
【図面の簡単な説明】
【００１９】
【図１】本発明の実施形態による建物および玄関収納の一例を示す平面図である。
【図２】本発明の実施形態による建物および玄関収納の一例を示す斜視図である。
【図３】玄関収納の正面図である。
【図４】図３のＡ−Ａ線断面図である。
【図５】図３のＢ−Ｂ線断面図である。
【図６】玄関収納の幅方向の他方側から見た側面図である。
【図７】図３のＣ−Ｃ線断面図である。
【発明を実施するための形態】
【００２０】
以下、本発明の実施形態による建物および玄関収納について、図１−図７に基づいて説明する。
図１および図２に示すように、本実施形態による建物１は、例えば、住宅などで、玄関ホール２１と、玄関ホール２１と隣接する玄関土間２２とを有し、玄関ホール２１および玄関に本実施形態による玄関収納３が設置されている。
玄関土間２２は、玄関ホール２１よりも床高が低く設計されている。本実施形態では、玄関ホール２１の床部２１１と玄関土間２２の床部２２１との段差寸法ｈ１（図３参照）は、４０ｍｍ程度としている。
【００２１】
玄関ホール２１および玄関土間２２には、玄関ホール２１と玄関土間２２とを結ぶ方向から見た左右方向の一方側に壁部２３が設けられている。壁部２３は、玄関ホール２１と玄関土間２２とを結ぶ方向に延び、玄関ホール２１の壁部２３と玄関土間２２の壁部２３とは面一に設けられている。
玄関ホール２１には、玄関土間２２との境界部分に沿って上がり框２４が設けられている。上がり框２４は、壁部２３に直交する方向に直線状に延びている。
【００２２】
玄関収納３は、壁部２３に沿って玄関ホール２１と玄関土間２２とに跨って設けられている。以下の玄関収納３の説明では、壁部２３に直交する水平方向を前後方向（図１の上下方向）とし、壁部２３に対して玄関ホール２１および玄関土間２２がある側（図１の下側）を前側、玄関ホール２１および玄関土間２２に対して壁部２３がある側（図１の上側）を後側とし、壁部２３に沿った水平方向（図１の左右方向）を幅方向とする。幅方向のうち、玄関土間２２に対して玄関ホール２１が配置されている側（図１の左側）を幅方向の一方側、玄関ホール２１に対して玄関土間２２がある側（図１の右側）を幅方向の他方側とする。
【００２３】
図１−図３に示すように、玄関収納３は、内部に物品を収納可能な収納部４と、収納部４に固定され上面に着座可能な腰掛部５と、収納部４に固定され上下方向に延びる手すり部６と、を有している。
玄関収納３は、収納部４が玄関ホール２１の床部２１１に設置され、腰掛部５が玄関土間２２の床部２２１に設置されていて、収納部４が腰掛部５の幅方向の一方側に配置されている。玄関収納３は、収納部４と腰掛部５との境界部分が上がり框２４の上側または上がり框２４の近傍に位置している。
【００２４】
図２−図４に示すように、収納部４は、箱状に形成され、主に前側から使用するように構成されている。
収納部４は、下側に配置される下部収納部７と、下部収納部７の上側に間隔をあけて配置される上部収納部８と、を有している。下部収納部７と上部収納部８との間の領域を収納中間部４１とする。
収納部４は、壁部２３に固定されている。
【００２５】
下部収納部７は、玄関ホール２１の床部２１１に設置される台輪７１と、台輪７１の後端部の上側に配置される下部背板７２と、台輪７１の幅方向の一方側の端部の上側に配置される第１下部側板７３と、台輪７１の幅方向の他方側の端部の上側に配置される第２下部側板７４（図２および図３参照）と、下部背板７２、第１下部側板７３、第２下部側板７４の上側に配置される天板７５と、を有している。
下部収納部７は、箱状に形成され、台輪７１、下部背板７２、第１下部側板７３、第２下部側板７４、天板７５との間に形成された下部収納空間７６が形成されている。
【００２６】
下部収納空間７６は、上部側には引き出し７７が設けられ、引き出し７７よりも下部側の前面全体には、両開きの下部扉７８が設けられている。
引き出し７７および下部扉７８がそれぞれ閉められると、引き出し７７の前板および下部扉７８は、第１下部側板７３および第２下部側板７４の前側に位置し、それぞれの前面が面一となるように配置される。
引き出し７７の把手および下部扉７８の把手は、引き出し７７の前板の前面および下部扉７８の前面よりも前側に突出している。
下部収納部７の天板７５の前端部は、閉められた際の引き出し７７の前板の前面よりも前側に突出している。
天板７５の上側は、収納中間部４１となっている。
【００２７】
台輪７１は、後端部が壁部２３に沿って設けられている。
下部背板７２は、平板状に形成され板面が前後方向を向く鉛直面となり、後面が壁部２３に沿って設けられている。
第１下部側板７３および第２下部側板７４は、平板状に形成され板面が幅方向を向く鉛直面となり、後端部が壁部２３に沿って設けられている。
天板７５は、平板状に形成され板面が水平面となり、後端部が壁部２３に沿って設けられている。本実施形態では、天板７５の上面の玄関ホール２１の床面２１２からの高さ寸法ｈ２（図３参照）は、８４０ｍｍに設計されている。
【００２８】
上部収納部８は、天板７５の上方に収納中間部４１を介して配置される下板８１と、下板８１の上側に間隔をあけて配置される上板８２と、下板８１の後端部と上板８２の後端部との間に配置される上部背板８３と、下板８１、上板８２および上部背板８３の幅方向の一方側に配置される第１上部側板８４と、下板８１、上板８２および上部背板８３の幅方向の他方側に配置される第２上部側板８５（図２および図３参照）と、を有している。
上部収納部８は、箱状に形成され、下板８１、上板８２、上部背板８３、第１上部側板８４、第２上部側板８５との間に形成された上部収納空間８６が形成されている。
上部収納空間８６の前面全体には、両開きの上部扉８７が設けられている。
上部扉８７は、閉められると下板８１、上板８２、第１上部側板８４および第２上部側板８５の前側に位置するように設けられている。上部扉８７の把手は、上部扉８７の前面よりも前側に突出している。
下板８１の下側は、収納中間部４１となっている。
【００２９】
下板８１は、平板状に形成され板面が水平面となり、後端部が壁部２３に沿って設けられている。本実施形態では、下板８１の下面の玄関ホール２１の床面２１２からの高さ寸法ｈ３（図３参照）は、１３００ｍｍに設計されている。
上板８２は、平板状に形成され板面が水平面となり、後端部が壁部２３に沿って設けられている。
上部背板８３は、平板状に形成され、板面が前後方向を向く鉛直面となり、後面が壁部２３に沿って設けられている。
第１上部側板８４および第２上部側板８５は、平板状に形成され板面が幅方向を向く鉛直面となり、後端部が壁部２３に沿って設けられている。
【００３０】
下部収納部７と上部収納部８とは、前後方向および幅方向の寸法が略同じ値に設計されている。本実施形態では、下部収納部７の下部扉７８の前面から下部背板７２の後面までの寸法ｄ１（図６参照）、および上部収納部８の上部扉８７の前面から上部背板８３の後面までの寸法ｄ２（図６参照）がそれぞれ３７０ｍｍに設定され、下部収納部７の幅方向の寸法ｗ１（図３参照）および上部収納部８の幅方向の寸法ｗ２（図３参照）がそれぞれ７３５ｍｍに設計されている。
【００３１】
上部収納部８は、下部収納部７の鉛直方向の上側に配置され、第１下部側板７３の鉛直方向の上側に間隔をあけて第１上部側板８４が配置され、第２下部側板７４の鉛直方向の上側に間隔をあけて第２上部側板８５が配置されている。
第１下部側板７３、第２下部側板７４、第１上部側板８４および第２上部側板８５は、それぞれ同じ板厚に形成されている。
【００３２】
収納中間部４１は、幅方向の一方側で第１下部側板７３と第１上部側板８４との間に配置される第１中間部側板４２と、幅方向の他方側で第２下部側板７４と第２上部側板８５との間に配置される第２中間部側板４３と、を有している。収納中間部４１には、下部収納部７の天板７５、上部収納部８の下板８１、第１中間部側板４２、第２中間部側板４３に囲まれた中間部収納空間４４が形成されている。
第１中間部側板４２および第２中間部側板４３は、平板状に形成され、板面が幅方向を向く鉛直面となり、後端部が壁部２３に沿って設けられている。
収納中間部４１は、下部収納部７の天板７５と上部収納部８の下板８１との間に配置されている。本実施形態では、収納中間部４１は、玄関ホール２１の床部２１１から８４０ｍｍから１３００ｍｍの範囲に位置し、その高さ寸法ｈ４（図３参照）が４６０ｍｍに設計されている。
【００３３】
図２および図４に示すように、第１中間部側板４２は、第１下部側板７３および第１上部側板８４よりも前後方向の寸法が小さく設定されている。図４に示すように、第１中間部側板４２の前端部４２ａは、第１下部側板７３の前端部７３ａおよび第１上部側板８４の前端部８４ａよりも後側に配置されている。
本実施形態では、第１中間部側板４２の前端部４２ａは、第１下部側板７３の前端部７３ａおよび第１上部側板８４の前端部８４ａよりも１５０〜２００ｍｍ後側に配置されている。
第１中間部側板４２は、第１下部側板７３および第１上部側板８４と同じ板厚に形成され、板面が第１下部側板７３および第１上部側板８４の板面と面一となるように連続して配置されている。
図２および図５に示すように、下部収納部７の天板７５には、幅方向の一方側の端部における後側部分に、第１中間部側板４２が配置される切り欠き７５１が形成されている。
なお、第１下部側板７３、第１上部側板８４および第１中間部側板４２は、それぞれ別体に形成されて連続して設けられていてもよいし、一体に形成されていてもよい。
【００３４】
図２および図６に示すように、第２中間部側板４３は、第２下部側板７４および第２上部側板８５よりも前後方向の寸法が小さく設定されている。第２中間部側板４３の前端部４３ａは、第２下部側板７４の前端部７４ａおよび第２上部側板８５の前端部８５ａよりも後側に配置されている。
本実施形態では、第２中間部側板４３の前端部４３ａは、第２下部側板７４の前端部７４ａおよび第２上部側板８５の前端部８５ａよりも１５０〜２００ｍｍ（後述する切り欠き部４６の深さ寸法ｄ３、図６参照）だけ後側に配置されている。
第２中間部側板４３は、第２下部側板７４および第２上部側板８５と同じ板厚に形成され、板面が第２下部側板７４および第２上部側板８５の板面と面一となるように連続して配置されている。
図２および図５に示すように、下部収納部７の天板７５には、幅方向の他方側の端部における後側部分に、第２中間部側板４３が配置される切り欠きが形成されている。
【００３５】
第２下部側板７４、第２上部側板８５および第２中間部側板４３を合わせて収納側板４５とし、第２中間部側板４３の前端部４３ａと、第２下部側板７４の上端部７４ｂと、第２上部側板８５の下端部８５ｂとに挟まれた空部を切り欠き部４６とする。
切り欠き部４６は、前側に開口し、収納側板４５の幅方向の一方側に位置する中間部収納空間４４と収納側板４５の幅方向の他方側の空間（玄関土間２２の空間）と、を連通させている。
なお、収納側板４５の第２下部側板７４、第２上部側板８５および第２中間部側板４３は、それぞれ別体に形成されて連続して設けられていてもよいし、一体に形成されていてもよい。
【００３６】
図２、図３および図６に示すように、腰掛部５は、玄関土間２２の床部２２１に立設する脚部５１と、脚部５１に支持され上面に使用者が着座可能な着座部５２と、着座部５２の下側に設けられ物品を載置可能な腰掛収納部５３と、を有している。
脚部５１は、板面が長方形となる平板状に形成され、板面が幅方向を向く鉛直面となる向きで収納部４の第２下部側板７４の幅方向の他方側に間隔をあけて配置されている。脚部５１は、下端部が玄関土間２２の床部２２１に接地され、後端部が壁部２３に沿って設けられている。脚部５１の前端部５１ａは、第２下部側板７４の前端部７４ａよりも後側に配置されている。
【００３７】
脚部５１の下端部には、玄関土間２２の床部２２１と接地する金具５１１が取り付けられている。
腰掛部５は、玄関土間２２の床部２２１に設けられているため、玄関ホール２１の床部２１１に設けられている収納部４よりも脚部５１の下端部は、下側に位置している。脚部５１の下端部に設けられた金具５１１は、高さ調整可能なアジャスターであってもよい。
【００３８】
着座部５２は、板面が長方形となる平板状に形成され、板面が水平面となる向きで玄関土間２２の床部２２１の上方に配置されている。着座部５２は、幅方向の一方側の端部が下部収納部７の第２下部側板７４と固定され、幅方向の他方側の端部が脚部５１の上端部に固定され、後端部が壁部２３に沿って設けられている。
着座部５２は、例えば、幅方向の一方側の端部が第２下部側板７４の幅方向の他方側の面と当接した状態で、下部収納空間７６の内部からネジなどの固定具で固定されている。
着座部５２の前端部５２ａは、第２下部側板７４の前端部７４ａよりも後側で脚部５１の前端部５１ａよりも前側に配置されている。
本実施形態では、着座部５２の前後方向の寸法ｄ４（図６、図７参照）は３５０ｍｍ、幅方向の寸法は７００ｍｍに設計され、玄関土間２２の床部２２１から着座部５２の上面までの高さ寸法ｈ５（図６、図７参照）は４５０ｍｍに設計されている。
【００３９】
図３および図７に示すように、着座部５２の下側には、補強部材５４が設けられている。補強部材５４は、平面視形状が幅方向の他方側に開口するコの字形状に形成され、着座部５２の下面に固定されている。補強部材５４は、幅方向の一方側の端部が第２下部側板７４に固定され、幅方向の他方側の端部が脚部５１に固定されている。
補強部材５４は、例えば、幅方向の一方側の端部が第２下部側板７４の幅方向の他方側の面と当接した状態で、下部収納空間７６の内部からネジなどの固定具で固定されている。
補強部材５４の前端部５４ａは、着座部５２の前端部５２ａおよび脚部５１の前端部５１ａよりも後側に配置され、着座部５２および脚部５１よりも前側に突出しないようにもうけられている。
【００４０】
腰掛収納部５３は、上下方向の中間部に、第２下部側板７４および脚部５１に支持された棚板５５を有している。
棚板５５は、板面が長方形となる平板状に形成され、板面が水平面となる向きに配置されている。棚板５５は、幅方向の一方側の端部が第２下部側板７４と固定され、幅方向の他方側の端部が脚部５１の幅方向の一方側の面に固定され、後端部が壁部２３に沿って設けられている。棚板５５の前端部５５ａは、着座部５２の前端部５２ａおよび脚部５１の前端部５１ａよりも後側に配置されている。
本実施形態では、棚板５５の前後方向の寸法ｄ５は１４０ｍｍ、玄関土間２２の床部２２１から棚板５５の上面までの高さ寸法ｈ６は２２０ｍｍに設計されている。
腰掛収納部５３は、後側部分５３１が棚板５５によって上下２段に仕切られているが、前側部分５３２は仕切られていない。腰掛収納部５３は、幅方向の他方側に平板状の脚部５１が設けられているため、脚部５１よりも幅方向の他方側からは、内部が見えないように構成されている。
【００４１】
図１および図２に示すように、手すり部６は、収納部４の幅方向の他方側かつ収納部４の前端部近傍に設けられている。手すり部６は、上がり框２４の上側または上がり框２４の近傍の上側に設けられている。
図２、図３および図６に示すように、手すり部６は、角棒状や丸棒状などの棒状に形成され上下方向に延びる向きに配置される手すり本体部６１と、手すり本体部６１の下端部から幅方向の一方側に突出し収納部４に取り付けられる下部取付部６２と、手すり本体部６１の上端部から幅方向の一方側に突出し収納部４に取り付けられる上部取付部６３と、を有している。
【００４２】
手すり本体部６１は、収納中間部４１の高さ寸法ｈ４（図３参照）よりも長く形成されている。
手すり部６は、下部取付部６２が下部収納部７の第２下部側板７４の前端部７４ａ近傍に固定され、上部取付部６３が上部収納部８の第２上部側板８５の前端部８５ａ近傍に固定されている。
下部取付部６２は、第２下部側板７４の幅方向の他方側の面と当接した状態で、下部収納空間７６の内部からネジなどの固定具で固定されている。
上部取付部６３は、第２上部側板８５の幅方向の他方側の面と当接した状態で、上部収納空間８６の内部からネジなどの固定具で固定されている。
【００４３】
本実施形態では、手すり部６は、上下方向の寸法ｈ７（図３参照）が９３０ｍｍに設定され、下端部６ａが玄関ホール２１の床部２１１から５７０ｍｍの高さに位置し、上端部６ｂが玄関ホール２１の床部２１１から１５００ｍｍの高さに位置している。
手すり部６は、収納部４よりも前側に突出しないように設けられている。
【００４４】
手すり本体部６１は、第２中間部側板４３よりも前側に配置され、上下方向の中間部分６１１（収納中間部４１が設けられている高さ範囲、本実施形態では、玄関ホール２１の床部２１１から８４０ｍｍから１３００ｍｍの範囲）が第２中間部側板４３と幅方向に重ならないように配置されている。手すり本体部６１は、中間部分６１１よりも下側となる下側部分６１２が第２下部側板７４と幅方向に重なり、中間部分６１１よりも上側となる上側部分６１３が第２上部側板８５と幅方向に重なっている。
【００４５】
次に、上述した本発明の実施形態による建物および玄関収納の作用・効果について図面を用いて説明する。
上述した本発明の実施形態による建物１および玄関収納３では、玄関ホール２１に収納部４を設置し、玄関土間２２に腰掛部５を設け、玄関ホール２１と玄関土間２２との境界部近傍かつ腰掛部５の近傍に手すり部６が設けられている。このため、腰掛部５に座ったり腰掛部５から立ち上がったりするとき、および玄関ホール２１と玄関土間２２との段差（上がり框２４の段差）を通過するときの両方に同一の手すり部６を利用することができる。
【００４６】
また、腰掛部５は、収納部４に固定され、手すり部６は、収納部４に固定されている。
これにより、収納部４、腰掛部５および手すり部６を一体に設けることができる。
腰掛部５に作用する荷重を収納部４が負担することができるため、腰掛部５を簡便な構造とすることができる。
手すり部６に作用する荷重を収納部４が負担することができるため、手すり部６を簡便な構造とすることができる。また、手すり部を建物１の壁部２３や床部２１１，２２１に取り付ける場合と比べて、建物１の壁部２３や床部２１１，２２１に手すり部を取り付けるための金具や補強を設ける必要がなく、建物１の間取りや構造にかかわらず手すり部６を設置することができる。
【００４７】
また、玄関ホール２１および玄関土間２２の側方に連続して設けられた壁部２３を有し、収納部４および腰掛部５は、壁部２３に沿って設けられていることにより、玄関ホール２１および玄関土間２２の空間を圧迫することなく収納部４、腰掛部５および手すり部６を設置することができる。
【００４８】
また、手すり部６は、上下方向に延びる棒状に形成され、下部収納部７および上部収納部８に固定され、上端部が上部収納部８の高さに位置し、下端部が下部収納部７の高さに位置していることにより、手すり部６を低い位置から高い位置まで設けることができるため、腰掛部５に着座した姿勢でも玄関ホール２１や玄関土間２２に起立した姿勢でも手すり部６を把持しやすい。
【００４９】
また、手すり部６は、収納側板４５の幅方向の他方側に設けられ、切り欠き部４６を介して中間部収納空間４４と隣接していることにより、手すり部６を腰掛部５側、すなわち玄関土間２２側から使用することができるとともに、中間部収納空間４４を介して収納部４側、すなわち玄関ホール２１側からも使用することができる。
また、手すり部６を把持する際に、手すり部６の中間部収納空間４４と隣接する部分を把持することで、手すり部６を把持する手が収納側板４５と干渉することを防止することができる。
また、下部収納部７の上面に手をついた状態から手すり部６を把持する場合、また、手すり部６を把持した状態から下部収納部７の上面に手をつく場合に、手が収納側板４５と干渉することを防止することができる。
【００５０】
また、切り欠き部４６は、収納側板４５の前端部からの深さ寸法ｄ３が１５０〜２００ｍｍであることにより、下部収納部７の上面に手をついた状態から手すり部６を把持する場合、また、手すり部６を把持した状態から下部収納部７の上面に手をつく場合に、手が収納側板４５と干渉することを防止することができる。
【００５１】
また、手すり部６は、収納部４の前端部よりも後側に配置されていることにより、玄関収納３の前側を通過する人が手すり部６と干渉することを防止することができる。
【００５２】
また、腰掛部５は、上面に着座可能な着座部５２と、着座部５２の下方に設けられ前方に開口する腰掛収納部５３と、を有し、腰掛収納部５３は、上下方向の中間部に設けられた棚板５５を有し、棚板５５の前端部５５ａは、着座部５２の前端部５２ａよりも後方に配置されている。
このような構成とすることにより、腰掛収納部５３の後側部分５３１では棚板５５の上側と下側とに物品を収納することができ、前側部分５３２では棚板５５の高さよりも背の高い物品を収納することができる。
また、図７に示すように、腰掛収納部５３に長靴９やロングブーツなど収納する際に、高さが低いつま先側は後側部分５３１の棚板５５の下側に入れ、高さのあるかかと側は棚板５５よりも前側の前側部分５３２に配置することで、長靴やロングブーツなどの全体を着座部５２の下側の腰掛収納部５３に収納することができる。
【００５３】
以上、本発明による建物１および玄関収納３の実施形態について説明したが、本発明は上記の実施形態に限定されるものではなく、その趣旨を逸脱しない範囲で適宜変更可能である。
例えば、上記の実施形態では、腰掛部５は、収納部４に固定され、手すり部６は、収納部４に固定されているが、それぞれが独立して設けられ、床部や壁部２３に支持されていてもよい。
また、上記の実施形態では、玄関収納３は、壁部２３に沿って設けられているが、壁部２３と離れた位置に設けられていてもよい。
【００５４】
また、上記の実施形態では、収納部４は、下部収納部７と上部収納部８を有し、下部収納部７と上部収納部８との間に中間部収納空間４４が設けられているが、中間部収納空間４４が設けられていなくてもよい。
また、手すり部６が設けられる高さや、収納部４に対して固定される高さは適宜設定されてよい。
【００５５】
また、上記の実施形態では、収納側板４５に切り欠き部４６が形成され、手すり部６が切り欠き部４６を介して中間部収納空間４４と隣接しているが、収納側板４５に切り欠き部４６が形成されず手すり部６が収納側板４５と幅方向に重なり中間部収納空間４４と隣接していなくてもよい。
また、収納側板４５に切り欠き部４６が形成されている場合、切り欠き部４６の深さ寸法ｄ３や、切り欠き部４６が形成される位置は適宜設定されてよい。
【００５６】
また、上記の実施形態では、手すり部６は、収納部４の前端部よりも後側に配置されているが、収納部４の前端部よりも前側に突出して設けられていてもよい。手すり部６が収納部４の前端部よりも前側に突出して設けられる場合には、手すり部６を人や物が干渉した際に人や物への衝撃を少なくできる形状に形成したり、人や物への衝撃を少なくできる材料で形成したりすることが好ましい。
【００５７】
また、上記の実施形態では、腰掛部５は、上面に着座可能な着座部５２と、着座部５２の下方に設けられ前方に開口する腰掛収納部５３と、を有し、腰掛収納部５３は、上下方向の中間部に設けられた棚板５５を有し、棚板５５の前端部５５ａは、着座部５２の前端部５２ａよりも後方に配置されている。これに対し、腰掛部５に腰掛収納部５３が設けられていなくてもよく、腰掛部５に腰掛収納部５３が設けられている場合には、腰掛収納部５３の棚板５５の配置や大きさは適宜設定されてよい。
また、上記の実施形態では、腰掛部５の脚部５１は平板状に形成されているが、上下方向に延びる柱状に形成されていてもよい。
【符号の説明】
【００５８】
１  建物
３  玄関収納
４  収納部
５  腰掛部
６  手すり部
７  下部収納部
８  上部収納部
２１  玄関ホール
２２  玄関土間
２３  壁部
４１  収納中間部
４４  中間部収納空間
４５  収納側板
４６  切り欠き部
５１  脚部
５２  着座部
５３  腰掛収納部
５５  棚板
ｄ３  深さ寸法
【図１】
2020153075.tif 000003
【図２】
2020153075.tif 000004
【図３】
2020153075.tif 000005
【図４】
2020153075.tif 000006
【図５】
2020153075.tif 000007
【図６】
2020153075.tif 000008
【図７】
2020153075.tif 000009